(57)【要約】【課題】簡単な構造でかつ簡単に組立可能であって、比較的厚手の被挟持物を挟持可能であって、クリップの被挟持物への挟持動作の長期の繰り返しが行われても、クリップを取付けるための各部材の摩耗によるクリップの動作不良のない筆記具用クリップの取付構造を提案する。【解決手段】軸筒２内に、軸筒２内を前後に隔てる軸筒２と一体に形成した隔壁部５を形成し、第１ガイド溝を設ける。クリップ１をクリップ本体６と脚部７とで構成し、脚部７の底部７ａに延出部８を設けて、その先端に第１係止突部９と、脚部７の後方壁面１０に円弧状に形成してた第２係止突部１１を設ける。延出部８にコイルばね１５を配してクリップ１をクリップ取付孔３に挿着し、第１係止突部９を第１ガイド溝１８に係止する。クリップ１の後方に、前方壁面２２に円弧状の第２ガイド溝２４を有した栓部材２１を固着し、第２ガイド溝２４に前記第２係止突部１１を係止する。【選択図】図１
2008260176.tif 000002
【特許請求の範囲】
【請求項１】
後方を開口したクリップ取付孔を有した軸筒またはキャップ筒内に、クリップ本体と脚部とで構成したクリップの脚部の底部に、クリップ本体の先端部側に向けて延出した延出部を設け、該延出部の先端に第１係止突部を設けるとともに、脚部の後方壁面に、該後方壁面に沿って延出部側に湾曲して円弧状に形成した第２係止突部を設けたクリップを、脚部をクリップ取付孔に挿着して配設し、延出部をばねによりクリップ取付孔と反対側方向に付勢し、クリップの延出部の前方に、軸筒内またはキャップ筒内を前後に隔てる軸筒またはキャップ筒と一体に形成した隔壁部の壁面に、クリップの第１係止突部が係止可能な第２係止突部の円弧の中心点と同中心点とした半径が前記円弧より長径な円弧状に形成した底面を有する第１ガイド溝を設け、クリップの第１係止突部を第１ガイド溝に係止し、クリップの後方に、前方壁面にクリップの第２係止突部が係止可能な、クリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
【請求項２】
後方を開口したクリップ取付孔を有した軸筒またはキャップ筒内に、クリップ本体と脚部とで構成したクリップの脚部の底部に、クリップ本体の先端部側に向けて延出した延出部を設け、該延出部の先端に第１係止突部を設けるとともに、脚部の後方壁面に、該後方壁面に沿って延出部側に湾曲して円弧状に形成したて第２係止突部を設けたクリップを、脚部をクリップ取付孔に挿着して配設し、延出部をばねによりクリップ取付孔と反対側方向に付勢し、クリップの延出部の前方に、軸筒内またはキャップ筒内に内部材を固着し、該内部材に、クリップの第１係止突部が係止可能な第２係止突部の円弧の中心点と同中心点とする半径が前記円弧より長径な円弧状に形成した底面を有する第１ガイド溝を設け、クリップの第１係止突部を第１ガイド溝に係止し、クリップの後方に、前方壁面にクリップの第２係止突部が係止可能な、クリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
【請求項３】
前記内部材が、一端に開口した空間室を有した形状であって、空間室の底面に第１ガイド溝を設け、クリップの延出部を空間室に挿入し、前記ばねをクリップの延出部と空間室を形成するクリップ取付孔側の内壁面との間に配したことを特徴とする、請求項２に記載の筆記具用クリップの取付構造。
【請求項４】
前記隔壁部または内部材に形成した第１ガイド溝を有する壁面を、第２係止突部の円弧の中心点と同中心点とする半径が第１ガイド溝の底面における円弧状の半径より短径な円弧状に形成するとともに、栓部材の前方壁面を、第２係止突部の円弧の中心点と同中心点とする半径が第２係止突部の円弧の半径より長径な円弧状に形成し、クリップの第１係止突部をクリップの延出部の軸径方向の幅より細幅に形成して前方に突出させて設けて、延出部に前記隔壁部または内部材に形成した第１ガイド溝を有する壁面に当接する第１当接面を設け、クリップの脚部に、第２係止突部の軸径方向の幅より太幅な栓部材の前方壁面に当接する第２当接面を設けたことを特徴とする、請求項１ないし３のいずれか１項に記載の筆記具用クリップの取付構造。
【発明の詳細な説明】
【技術分野】
【０００１】
本発明は、筆記具用クリップの取付構造に関する。
【背景技術】
【０００２】
筆記具用クリップの機能は、筆記具を机上等に置いた際の転がり防止や、ポケット等の布地をクリップと軸筒の表面間に差した際に、布地をクリップと軸筒の表面でしっかりと挟持し、携帯時におけるポケット等からの抜け落ちを防止する機能がある。後者のクリップに挟持機能を与えるために、様々な筆記具用クリップの取付構造が提案されている。
【０００３】
そうした中、ノート、雑誌、鞄のポケット等の比較的厚い物も挟持ができる筆記具用クリップの取付構造が提案されており、比較的厚手の物に対しても挟持可能なクリップ構造として、クリップ全体が軸筒またはキャップ筒の表面から離間する方向へ持ち上がる構造について提案されたものがある。その中で簡単な構造のものとして、傾斜面に沿ってクリップ全体が持ち上がる構造のクリップが、実開昭６３−９４７９２号公報により開示されている。本考案は、筆記具のクリップの玉部の布地等に対する接触圧を調節可能としたものであり、筆記具の軸に軸線方向に対し所要角度を傾斜したガイド孔を設け、また、玉部を有するクリップ本体部に対し前記ガイド孔と略同角度傾斜した支持片部をクリップに付設し、クリップの支持片部を軸のガイド孔に摺動自在に挿入し、さらにクリップの支持片部をガイド孔の所要位置で固定する係止装置を設けたもので、係止装置として、通孔に挿入した押圧子が支持片部の上面凹凸部に強く圧着することで所要な位置に固定するというものである。
【０００４】
しかし、前記構造は、挟持するものの厚さに応じてクリップの支持片部のガイド孔に対する所要位置を決めて固定する必要があり、使い勝手において難がある。また、構造上、クリップの支持片部のガイド孔に対する位置決めの際に、押圧子の支持片部の上面凹凸部への押圧力を完全に取り除かない状態で、数多く支持片部をガイド孔の傾斜に沿って移動させていると、上面凹凸部の凹凸が押圧子とこすれて摩耗してしまい、支持片部をガイド孔の所要位置に固定できないという問題が発生するという問題がある。
【特許文献１】実開昭６３−９４７９２号公報
【発明の開示】
【発明が解決しようとする課題】
【０００５】
本発明が解決しようとする課題は、簡単な構造でかつ簡単に組立可能であって、比較的厚手の物も挟持可能とすべく、被挟持物を挟持の際にクリップ全体が軸筒またはキャップ筒の表面から離れる方向に持ち上がり、クリップの被挟持物への挟持作動の長期の繰り返しが行われても、クリップを取付けるための各部材の摩耗によるクリップの動作不良のない筆記具用クリップの取付構造を提案するものである。
【課題を解決するための手段】
【０００６】
本発明は、
「１．後方を開口したクリップ取付孔を有した軸筒またはキャップ筒内に、クリップ本体と脚部とで構成したクリップの脚部の底部に、クリップ本体の先端部側に向けて延出した延出部を設け、該延出部の先端に第１係止突部を設けるとともに、脚部の後方壁面に、該後方壁面に沿って延出部側に湾曲して円弧状に形成した第２係止突部を設けたクリップを、脚部をクリップ取付孔に挿着して配設し、延出部をばねによりクリップ取付孔と反対側方向に付勢し、クリップの延出部の前方に、軸筒内またはキャップ筒内を前後に隔てる軸筒またはキャップ筒と一体に形成した隔壁部の壁面に、クリップの第１係止突部が係止可能な第２係止突部の円弧の中心点と同中心点とした半径が前記円弧より長径な円弧状に形成した底面を有する第１ガイド溝を設け、クリップの第１係止突部を第１ガイド溝に係止し、クリップの後方に、前方壁面にクリップの第２係止突部が係止可能な、クリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
２．後方を開口したクリップ取付孔を有した軸筒またはキャップ筒内に、クリップ本体と脚部とで構成したクリップの脚部の底部に、クリップ本体の先端部側に向けて延出した延出部を設け、該延出部の先端に第１係止突部を設けるとともに、脚部の後方壁面に、該後方壁面に沿って延出部側に湾曲して円弧状に形成したて第２係止突部を設けたクリップを、脚部をクリップ取付孔に挿着して配設し、延出部をばねによりクリップ取付孔と反対側方向に付勢し、クリップの延出部の前方に、軸筒内またはキャップ筒内に内部材を固着し、該内部材に、クリップの第１係止突部が係止可能な第２係止突部の円弧の中心点と同中心点とする半径が前記円弧より長径な円弧状に形成した底面を有する第１ガイド溝を設け、クリップの第１係止突部を第１ガイド溝に係止し、クリップの後方に、前方壁面にクリップの第２係止突部が係止可能な、クリップの第２係止突部の円弧の中心点と同中心点とする半径が前記円弧と略同径または短径とした円弧状に形成した底面を有する第２ガイド溝を設けた栓部材を、第２ガイド溝にクリップの第２係止突部を係止して軸筒内またはキャップ筒内に固定し、クリップ全体が第１ガイド溝と第２ガイド溝に案内されて軸筒またはキャップ筒の表面から離間する方向に持ち上がるようにしたことを特徴とする、筆記具用クリップの取付構造。
３．前記内部材が、一端に開口した空間室を有した形状であって、空間室の底面に第１ガイド溝を設け、クリップの延出部を空間室に挿入し、前記ばねをクリップの延出部と空間室を形成するクリップ取付孔側の内壁面との間に配したことを特徴とする、前記２項に記載の筆記具用クリップの取付構造。
４．前記隔壁部または内部材に形成した第１ガイド溝を有する壁面を、第２係止突部の円弧の中心点と同中心点とする半径が第１ガイド溝の底面における円弧状の半径より短径な円弧状に形成するとともに、栓部材の前方壁面を、第２係止突部の円弧の中心点と同中心点とする半径が第２係止突部の円弧の半径より長径な円弧状に形成し、クリップの第１係止突部をクリップの延出部の軸径方向の幅より細幅に形成して前方に突出させて設けて、延出部に前記隔壁部または内部材に形成した第１ガイド溝を有する壁面に当接する第１当接面を設け、クリップの脚部に、第２係止突部の軸径方向の幅より太幅な栓部材の前方壁面に当接する第２当接面を設けたことを特徴とする、前記１項ないし３項のいずれか１項に記載の筆記具用クリップの取付構造。」
である。
【０００７】
クリップに設ける第１係止突部は、延出部の一部を第１係止突部とした延出部の軸径方向の幅と同幅である形状でも良いし、延出部の先端から前方に延出部の軸径方向の幅より小幅で突出した形状でも良い。同様にクリップに設ける第２係止突部も、後方壁面の一部をまたは全体を第２係止突部とした形状でも良いし、後方壁面から後方に後方壁面の軸径方向の幅より小幅で突出した形状でも良い。
【０００８】
クリップの被挟持物を挟持する挟持力は、延出部をばねによりクリップ取付孔と反対側方向に付勢する付勢力、すなわちばねの弾発力により決まるので、適宜所望する弾発力のばねを選択することで、所望する挟持力を有するクリップを得ることができる。
【発明の効果】
【０００９】
本発明は前記したような構造なので、ノート、雑誌、鞄のポケット等の比較的厚い物であっても、クリップ全体が軸筒またはキャップ筒の表面から離れる方向に持ち上がるので挟持することができる。クリップはガイド溝に沿って持ち上がるので動きもスムーズであり、被挟持物の厚さに応じて挟持するための特別な操作も必要とせず、被挟持物をクリップ本体と軸筒またはキャップ筒との間に差し込むだけで良く、使い勝手が良い。また、構造も簡単で組立も煩雑ではないので、製造コスト面での利点もある。また、クリップの動作にともなうクリップを取付けるための各部材の摩耗も生じにくいので、長い期間の使用に対してもクリップの動作不良が生じる恐れがない。
【００１０】
また、クリップの第２係止突出部と栓部材の第２ガイド溝をともに円弧状に形成して、クリップの第２係止突部を栓部材の第２ガイド溝に係止することで、単にクリップ全体が軸筒またはキャップ筒の表面から離間する方向へ持ち上がるだけではなく、クリップ本体の先端が円弧状に軸筒またはキャップ筒の表面から拡開する方向へ持ち上がるので、クリップ本体の先端の軸筒またはキャップ筒の表面からの離間距離が大きくなり、より厚い被挟持物を挟持できるという効果がある。
【００１１】
請求項３に係る発明の構造とすることで、軸筒内またはキャップ筒内に内部材を装着する構造のものにおいて、組立時にクリップと内部材とばねとをセット化でき、クリップの脚部の延出部にばねを配して内部材の空間室に収容した状態で、軸筒内またはキャップ筒内に挿入することで、容易に組立てることができるという効果がある。
【００１２】
請求項４に係る発明の構造とすることで、クリップは、脚部の前方に形成した第１当接面を軸筒またはキャップ筒に形成した隔壁部の壁面、または軸筒またはキャップ筒に固着した内部材の壁面に当接し、脚部の後方に形成した第２当接面を栓部材の前方壁面に当接しながら、クリップ全体が第１ガイド溝と第２ガイド溝に案内されて軸筒またはキャップ筒の表面から離れる方向に摺動するので、軸心方向へのがたつきや軸径方向への揺動を抑えることができるという効果がある。
【発明を実施するための最良の形態】
【００１３】
本発明に係る筆記具用クリップの取付構造について、以下、図面を用いて説明する。便宜上、本実施例においては軸筒の後端に取付けたクリップとして説明するが、本発明の範囲は実施例に限定されるものではない。
図１〜図６は、請求項１に係る発明の第１の実施例であり、図１は、第１の実施例を示す、クリップを取付けた軸筒部分の要部の断面図である。図２は、図１におけるクリップの動作の状態を示した図である。図３は、図２におけるＡ−Ａ線部分の断面図である。図４は、図２におけるＢ−Ｂ線部分の断面図である。図５は、第１の実施例におけるクリップの平面図である。図６は、図５におけるＣ−Ｃ線部分の大断面図である。図７〜図１５は、請求項２に係る発明の第２の実施例であり、図７は、第２の実施例を示す、クリップを取付けた軸筒部分の要部の断面図である。図８、図７におけるクリップの動作の状態を示した図である。図９は、図８におけるＤ−Ｄ線部分の断面図である。図１０は、図８におけるＥ−Ｅ線部分の断面図である。図１１は、第２の実施例におけるクリップの平面図である。図１２は、図１１におけるＦ−Ｆ線部分の大断面図である。図１３は、第２の実施例における内部材の断面図である。図１４は、図１３におけるＧ−Ｇ線部分の断面図である。図１５は、図１３における内部材の右側の側面図である。
【実施例】
【００１４】
まず、請求項１に係る発明の第１の実施例を、図１〜図６を用いて説明する。本実施例の筆記具用クリップの取付構造は、クリップ１を、前方に筆記体（図示せず）を収容した軸筒２の後端部２ａに設けられたクリップ取付孔３に取付けた構造のものである。軸筒２は、後端を開口４してあり、クリップ取付孔３の後方も図４に示すように前記開口部４に連通して開口してある。クリップ取付孔３より前方（図１において右側）の軸筒２内には、軸筒２内を前後に隔てる軸筒２と一体に形成した隔壁部５を形成してある。
【００１５】
クリップ１は、図５および図６に示すように、クリップ本体６と脚部７とで構成され、脚部７の底部７ａには、クリップ本体６の先端部６ａ側に向けて延出した延出部８を設けてあり、延出部８の先端には、クリップの延出部８の軸径方向の幅より細幅に形成して前方に突出させた先端が円弧状の第１係止突部９を設けてある。脚部７の後方壁面１０には、該後方壁面１０に沿って延出部８側に湾曲して円弧状に形成した第２係止突部１２を設けてある。延出部８のクリップ本体６側の上面８ａには、クリップ本体６側に向けて突出させた支柱１２を設けてある。
【００１６】
脚部７における延出部８の軸径方向の幅は、太幅に形成してあり、延出部８の先端における第１係止突部９とにより形成される段部の壁面を、第１当接面１３として設けてある。脚部７の延出部８と第２係止突部１１とにより形成される段部の壁面を、第２当接面１４として設けてある。
【００１７】
前記クリップ１を、延出部８に設けた支柱１２にコイルばね１５を配し、脚部７の延出部８を前方（隔壁部５側）に向け、脚部７を軸筒２の開口部４から挿入してクリップ取付孔３に挿着してある。延出部８はコイルばね１５によりクリップ取付孔３と反対側方向に付勢されている。
【００１８】
前記軸筒２の隔壁部５の壁面１６は、クリップ１の第２係止突部１１の円弧の中心点と同中心点とした半径が前記円弧より長径な円弧状としてあり、壁面１６には、クリップ取付孔３に対向した一方端からクリップ取付孔３側の他方端に延びた、クリップ１の第１係止突部９が係止可能な、クリップ１の第２係止突部１１の円弧の中心点と同中心点とした半径が前記円弧より長径な円弧状に形成した底面１７を有する第１ガイド溝１８を設けてあり、クリップ１の延出部８に設けた第１係止突部９を第１ガイド溝１８に係止してある。
【００１９】
クリップ１の後方には、クリップ取付孔３に係止する係止部２０を有した栓部材２１を、係止部２０をクリップ取付孔３に係止し軸筒２の開口部４を閉塞して軸筒２内に固定してあり、軸筒２内での回転を不能のものとし、かつクリップ６の軸筒２の開口部４からの抜け落ちを防止している。図３に示すように、栓部材２１の前方壁面２２には、クリップ１の第２係止突部１１が係止可能な、クリップ１の第２係止突部１１の円弧の中心点と同中心点とする半径が前記円弧と若干短径とした円弧状に形成した底面２３を有する第２ガイド溝２４を設けてあり、前方壁面２２を、クリップ１の第２係止突部１１の円弧の中心点と同中心点とする半径が前記円弧の半径より長径な円弧状に形成してある。クリップ１に設けた第２係止突部１１を、栓部材２１の第２ガイド溝２４に係止するとともに、前方壁面２２とクリップ１の脚部７の第２当接面１４とを当接させ、クリップ１の第１当接面１３が隔壁部５の壁面１６に当接するように、栓部材２１を軸筒２内に固定してある。
【００２０】
本実施例においては、クリップ本体６と軸筒２の表面間に被挟持物を差し込んだ際に被挟持物を挟持するために、クリップ本体６の先端部６ａの裏面には玉部２５を、該玉部２５に対向した軸筒２の表面には突部２６を設けてあるが、前記玉部２５や突部２６はなくても良い。
【００２１】
こうした構造により、クリップ本体６と軸筒２の表面間に被挟持物を差し込むと、図２に示すように、クリップ１は全体が第１ガイド溝１８と第２ガイド溝２４に案内されて軸筒２の表面から離間する方向にスムーズに持ち上がり、クリップ本体６の先端部６ａが円弧状に拡開するので、比較的厚さのある被挟持物も挟持することが可能となる。
【００２２】
次に、請求項２に係る発明の第２の実施例を、図７〜図１５を用いて説明する。第２の実施例の筆記具用クリップの取付構造は、クリップ５１を、第１の実施例と同様に、前方に筆記体（図示せず）を収容した軸筒５２の後端部５２ａに設けたクリップ取付孔５３に取付けた構造のものである。軸筒５２は、後端を開口５４してあり、クリップ取付孔５３の後方も図１０に示すように前記開口部５４に連通して開口してある。
【００２３】
クリップ５１を、図１１および図１２に示すように、クリップ本体５５と脚部５６とで構成し、第１の実施例におけるクリップ１と同様に、脚部５６の底部５６ａには、クリップ本体５５の先端部５５ａ側に向けて延出した延出部５７を設けてあり、延出部５７の先端には、クリップの延出部５７の軸径方向の幅より細幅に形成して前方に突出させた先端が円弧状の第１係止突部５８を設けてある。脚部５６の後方壁面５９には、脚部５６の軸径方向の幅より細幅に形成して後方に突出した、後方壁面５９に沿って延出部５６側に湾曲して円弧状に形成した第２係止突部６０を設けてある。
【００２４】
延出部５７の先端における第１係止突部５８とにより形成される段部の壁面を、第１当接面６１として設けてある。脚部５６の後方壁面５９と第２係止突部６０とにより形成される段部の壁面を、第２当接面６２として設けてある。
【００２５】
図１３〜図１５に示すように、開口した空間部６３と底部６４とで構成した内部材６５の空間部６３の底部６４の壁面６６は、クリップ５１の第２係止突部６０の円弧の中心点と同中心点とした半径が前記円弧より長径な円弧状としてあり、壁面６６には、クリップ５１の第１係止突部５８が係止可能な、クリップ５１の第２係止突部６０の円弧の中心点と同中心点とした半径が前記円弧より長径な円弧状に形成した底面６７を有する第１ガイド溝６８を設けてある。
【００２６】
クリップ５１の延出部５７の上面５７ａにコイルばね６９を配した状態で、内部材６５の空間部６３に延出部５７を収容し、クリップ５１に設けた第１係止突部５８を底部６４の壁面６６に設けた第１ガイド溝６８に係止してセットした状態で、内部材６５の底部６４を前方（軸筒５２の内方）に向けて、軸筒５２の開口部５４から挿入してクリップ５１の脚部５６をクリップ取付孔５３に挿着して、軸筒５２内に挿入し、内部材６５の底部６４を軸筒５２の内壁面に形成したリング状突部７０に当接させて、内部材６５を軸筒５２の内壁面に接着剤により固定して、内部材６５の前方への移動を防止するとともに軸筒５２内での位置決めを図っている。なお、クリップの軸筒への取付けに関わりない軸筒の内部構造や部材については省略してある。クリップ５１の延出部５７はコイルばね６９によりクリップ取付孔５３と反対側方向に付勢されている。
【００２７】
クリップ５１の後方には、第１の実施例と同様に、クリップ取付孔５３に係止する係止部７１を有した栓部材７２を、係止部７１をクリップ取付孔５３に係止し軸筒５２の開口部５４を閉塞して軸筒５２内に固定してあり、軸筒５２内での回転を不能のものとし、かつクリップ５１の軸筒５２の開口部５４からの抜け落ちを防止している。栓部材７２の前方壁面７３には、クリップ５１の第２係止突部６０が係止可能な、クリップ５１の第２係止突部６０の円弧の中心点と同中心点とする半径が前記円弧と若干短径とした円弧状に形成した底面７４を有する第２ガイド溝７５を設けてあり、前方壁面７３を、クリップ５１の第２係止突部６０の円弧の中心点と同中心点とする半径が前記円弧の半径より長径な円弧状に形成してある。クリップ５１に設けた第２係止突部６０を、栓部材７２の第２ガイド溝７５に係止するとともに、前方壁面７３とクリップ５１の脚部５６の第２当接面６２とを当接させ、クリップ５１の脚部５６の第１当接面６１が内部材６５の壁面６６に当接するように、栓部材７２を軸筒２内に固定してある。
【００２８】
本実施例においては、第１の実施例と同様に、クリップ本体５５と軸筒２の表面間に被挟持物を差し込んだ際に被挟持物を挟持するために、クリップ本体５５の先端部５５ａの裏面には玉部７６を、該玉部７６に対向した軸筒２の表面には突部７７を設けてあるが、前記玉部７６や突部７７はなくても良い。
【００２９】
こうした構造により、クリップ本体５５と軸筒５２の表面間に被挟持物を差し込むと、図８に示すように、クリップ５１は全体が第１ガイド溝６８と第２ガイド溝７５に案内されて軸筒５２の表面から離間する方向にスムーズに持ち上がり、クリップ本体５５の先端部５６ａが円弧状に拡開するので、比較的厚さのある被挟持物も挟持することが可能となる。
【産業上の利用可能性】
【００３０】
本発明の筆記具用クリップの取付構造は、比較的厚手のものの被挟持物も挟持でき、クリップの材質を限定することなく採用することができる。また本発明の筆記具用クリップの取付構造は、キャップ筒または筆記体を収容した軸筒に取付け可能なものである。
【図面の簡単な説明】
【００３１】
【図１】第１の実施例を示す、クリップを取付けた軸筒部分の要部の断面図である。
【図２】図１におけるクリップの動作の状態を示した図である。
【図３】図２におけるＡ−Ａ線部分の断面図である。
【図４】図２におけるＢ−Ｂ線部分の断面図である。
【図５】第１の実施例におけるクリップの平面図である。
【図６】図５におけるＣ−Ｃ線部分の大断面図である。
【図７】第２の実施例を示す、クリップを取付けた軸筒部分の要部の断面図である。
【図８】図７におけるクリップの動作の状態を示した図である。
【図９】図８におけるＤ−Ｄ線部分の断面図である。
【図１０】図８におけるＥ−Ｅ線部分の断面図である。
【図１１】第２の実施例におけるクリップの平面図である。
【図１２】図１１におけるＦ−Ｆ線部分の大断面図である。
【図１３】第２の実施例における内部材の断面図である。
【図１４】図１３におけるＧ−Ｇ線部分の断面図である
【図１５】図１３における内部材の右側の側面図である。
【符号の説明】
【００３２】
１、５１  筆記具用クリップ
２、５２  軸筒
３、５３  クリップ取付孔
５  隔壁部
６、５５  クリップ本体
７、５６  脚部
８、５７  延出部
９、５８  第１係止突部
１１、６０  第２係止突部
１５、６９  コイルばね
１８、６８  第１ガイド溝
２１、７２  栓部材
２４、７５  第２ガイド溝
【図１】
2008260176.tif 000003
【図２】
2008260176.tif 000004
【図３】
2008260176.tif 000005
【図４】
2008260176.tif 000006
【図５】
2008260176.tif 000007
【図６】
2008260176.tif 000008
【図７】
2008260176.tif 000009
【図８】
2008260176.tif 000010
【図９】
2008260176.tif 000011
【図１０】
2008260176.tif 000012
【図１１】
2008260176.tif 000013
【図１２】
2008260176.tif 000014
【図１３】
2008260176.tif 000015
【図１４】
2008260176.tif 000016
【図１５】
2008260176.tif 000017